(57)【特許請求の範囲】
【請求項１】
幅方向に略半分に折られ開口部側を襦袢の襟に被せるように着脱可能に取付けられる半襟の製造方法において、
幅が前記襦袢の襟の幅の略二倍である襟芯と、
前記襟芯よりも幅広で前記襟芯の表側を覆うとともに幅方向一方側から前記襟芯の裏側に折り返されてなる第一折り返し部と、幅方向他方側から前記襟芯の裏側に折り返されてなる第二折り返し部とを有する化粧布と、
前記第一折り返し部の上に重ねて縫いつけられる第一押さえ布と、
前記第二折り返し部の上に重ねて縫いつけられる第二押さえ布と、
先端よりも後端が幅広で、先端が後端側へ折り返されて側面視略Ｊ字状である複数の雄型スプリングホックと、を備え、
前記第一押さえ布を前記第一折り返し部に縫いつけた糸の縫い目及び前記第二押さえ布を前記第二折り返し部に縫いつけた糸の縫い目は、前記雄型スプリングホックの先端の幅より広くかつ前記雄型スプリングホックの後端の幅より狭く、
しかも、前記第一押さえ布を前記第一折り返し部に縫いつけた糸の縫い目に対し、前記第一折り返し部と前記第一押さえ布との間であって幅方向中央側から、前記雄型スプリングホックの先端を挿入するとともに前記雄型スプリングホックを反転させて前記第一押さえ布の表面に前記雄型スプリングホックの先端を露出させ、
さらに、前記第二押さえ布を前記第二折り返し部に縫いつけた糸の縫い目に対し、前記第二折り返し部と前記第二押さえ布との間であって幅方向中央側から、前記雄型スプリングホックの先端を挿入するとともに前記雄型スプリングホックを反転させて前記第二押さえ布の表面に前記雄型スプリングホックの先端を露出させ、
幅方向に略半分に折り、前記襦袢の襟を前記襦袢の身頃に縫いつけてある既存の糸の縫い目に対し、前記雄型スプリングホックの先端を前記身頃側から前記襟側へ挿入して、前記襦袢の襟に取付け可能にしてなることを特徴とする半襟の製造方法。
【請求項２】
前記第二押さえ布側の前記第一押さえ布の端部を前記襟芯の幅方向略中央に配置したことを特徴とする請求項１に記載の半襟の製造方法。
【請求項３】
前記第一折り返し部の長手方向中央に前記雄型スプリングホックの一つを取付けたことを特徴とする請求項１又は２に記載の半襟の製造方法。
【発明の詳細な説明】
【技術分野】
【０００１】
本発明は、襦袢の襟に被せるように着脱可能に取付けられる半襟の製造方法に関するものである。
【背景技術】
【０００２】
着物を着用する場合にはその下に襦袢を着用するが、着用者の首と擦れる襟部分は襦袢の中で最も汚れ易い。このため、襦袢の襟には半分に折られた半襟が被せられるとともに縫いつけられており、半襟が汚れた場合には半襟のみを交換できるようになっている。
しかし、半襟の交換は手間が掛かるので、着物初心者は着物を着用することを躊躇してしまう。
【０００３】
そこで、図６に示すような面ファスナ１１によって取付ける半襟１０が開示されている（例えば、特許文献１参照）。
【先行技術文献】
【特許文献】
【０００４】
【特許文献１】特開平１１−３０２９０１号公報
【０００５】
図６に記載の発明は、襦袢１の襟２及び半襟１０には一対の面ファスナ１１が取付けられており、略半分に折られた半襟１０の開口部Ｋを襦袢１の襟２に被せ、面ファスナ１１同士を貼り合わせることで、半襟１０を襦袢１の襟２に着脱可能に取付けることができる。
この発明によると、単に面ファスナ１１同士を貼り合わせるだけで半襟１０を襦袢１の襟２に取付けることができるので、交換するたびに半襟を襦袢１の襟２に縫いつける場合に比べて、着脱に掛かる手間が大幅に軽減され、初心者であっても容易かつ正確に半襟１０を着脱することができる。
【０００６】
なお、襦袢１の襟２及び半襟１０に取付けられるものは一対の面ファスナ１１に限らず、それぞれボタン対や紐状部材であったり、その他半襟１０にはボタン，襟２にはそのボタンを通す環状部材といった取付手段も特許文献１には開示されている。これら各取付手段であっても半襟１０の着脱の手間は軽減される。
【発明の概要】
【発明が解決しようとする課題】
【０００７】
しかしながら、引用文献１に記載の発明においては、半襟１０だけでなく襦袢１の襟２にも面ファスナ１１等の取付けという加工を施す必要があるので、その下準備が煩わしい。
さらに、半襟１０と襦袢１の組み合わせは一つに決まっているものではなく、ある半襟１０を他の襦袢１に組み合わせる場合もあるが、引用文献１に記載の発明では、その半襟１０を使用する襦袢１全てに面ファスナ１１等を取付ける必要があるので、非常に手間が掛かる。
【０００８】
そこで、本発明の目的とするところは、半襟のみに加工を施すだけで容易な着脱を可能にする半襟の製造方法を提供することにある。
【課題を解決するための手段】
【０００９】
上記の目的を達成するために、本発明の請求項１に記載の半襟（２０）の製造方法は、幅方向に略半分に折られ開口部（Ｋ）側を襦袢（１）の襟（２）に被せるように着脱可能に取付けられる半襟（２０）の製造方法において、幅（Ｗ１）が前記襦袢（１）の襟（２）の幅（Ｗ２）の略二倍である襟芯（２１）と、前記襟芯（２１）よりも幅広で前記襟芯（２１）の表側を覆うとともに幅方向一方側から前記襟芯（２１）の裏側に折り返されてなる第一折り返し部（２２ａ）と、幅方向他方側から前記襟芯（２１）の裏側に折り返されてなる第二折り返し部（２２ｂ）とを有する化粧布（２２）と、前記第一折り返し部（２２ａ）の上に重ねて縫いつけられる第一押さえ布（２３）と、前記第二折り返し部（２２ｂ）の上に重ねて縫いつけられる第二押さえ布（２４）と、先端（２５ａ）よりも後端（２５ｂ）が幅広で、先端（２５ａ）が後端（２５ｂ）側へ折り返されて側面視略Ｊ字状である複数の雄型スプリングホック（２５）と、を備え、前記第一押さえ布（２３）を前記第一折り返し部（２２ａ）に縫いつけた糸の縫い目（Ｎ）及び前記第二押さえ布（２４）を前記第二折り返し部（２２ｂ）に縫いつけた糸の縫い目（Ｎ）は、前記雄型スプリングホック（２５）の先端（２５ａ）の幅（Ｗ３）より広くかつ前記雄型スプリングホック（２５）の後端（２５ｂ）の幅（Ｗ４）より狭く、しかも、前記第一押さえ布（２３）を前記第一折り返し部（２２ａ）に縫いつけた糸の縫い目（Ｎ）に対し、前記第一折り返し部（２２ａ）と前記第一押さえ布（２３）との間であって幅方向中央側から、前記雄型スプリングホック（２５）の先端（２５ａ）を挿入するとともに前記雄型スプリングホック（２５）を反転させて前記第一押さえ布（２３）の表面に前記雄型スプリングホック（２５）の先端（２５ａ）を露出させ、さらに、前記第二押さえ布（２４）を前記第二折り返し部（２２ｂ）に縫いつけた糸の縫い目（Ｎ）に対し、前記第二折り返し部（２２ｂ）と前記第二押さえ布（２４）との間であって幅方向中央側から、前記雄型スプリングホック（２５）の先端（２５ａ）を挿入するとともに前記雄型スプリングホック（２５）を反転させて前記第二押さえ布（２４）の表面に前記雄型スプリングホック（２５）の先端（２５ａ）を露出させ、幅方向に略半分に折り、前記襦袢（１）の襟（２）を前記襦袢（１）の身頃（３）に縫いつけてある既存の糸の縫い目に対し、前記雄型スプリングホック（２５）の先端（２５ａ）を前記身頃（３）側から前記襟（２）側へ挿入して、前記襦袢（１）の襟（２）に取付け可能にしてなることを特徴とする。
【００１０】
また、請求項２に記載の半襟（２０）の製造方法は、前記第二押さえ布（２４）側の前記第一押さえ布（２３）の端部（２３ａ）を前記襟芯（２１）の幅方向略中央に配置したことを特徴とする。
【００１１】
また、請求項３に記載の半襟（２０）の製造方法は、前記第一折り返し部（２２ａ）の長手方向中央に前記雄型スプリングホック（２５）の一つを取付けたことを特徴とする。
【００１３】
ここで、上記括弧内の記号は、図面および後述する発明を実施するための形態に掲載された対応要素または対応事項を示す。
【発明の効果】
【００１４】
本発明の請求項１に記載の半襟の製造方法によれば、雄型スプリングホックを備え、第一押さえ布を第一折り返し部に縫いつけた糸の縫い目は、雄型スプリングホックの先端の幅より広いので、その縫い目に雄型スプリングホックの先端を挿入することができる。
よって、第一押さえ布を第一折り返し部に縫いつけた糸の縫い目に対し、第一折り返し部と第一押さえ布との間であって幅方向中央側から、雄型スプリングホックの先端を挿入するとともに雄型スプリングホックを反転させて第一押さえ布の表面に雄型スプリングホックの先端を露出させると、第一押さえ布で雄型スプリングホックの後端側が押さえられて安定する。このとき、雄型スプリングホックは先端が後端側へ折り返されて側面視略Ｊ字状であるので、雄型スプリングホックの先端が幅方向中央側を向く。
しかも、第一押さえ布を第一折り返し部に縫いつけた糸の縫い目は雄型スプリングホックの後端の幅より狭いので、雄型スプリングホックを第一折り返し部や第一押さえ布に縫いつけなくても、雄型スプリングホックが抜け落ちてしまうことはない。
同様に、第二押さえ布で雄型スプリングホックの後端側が押さえられて安定するとともに、雄型スプリングホックを第二折り返し部や第二押さえ布に縫いつけなくても、雄型スプリングホックが抜け落ちてしまうことはない。また、雄型スプリングホックの先端が幅方向中央側を向く。
【００１５】
このように、半襟の幅方向一方側及び他方側において雄型スプリングホックの先端が幅方向中央側を向いて露出しているので、幅方向に略半分に折ると、襦袢の襟を襦袢の身頃に縫いつけてある既存の糸の縫い目に対し、雄型スプリングホックの先端を身頃側から襟側へ挿入するだけで、半襟を襦袢の襟に容易かつ正確に取付け可能である。
このとき、半襟のみにこのような加工を施すだけで済み、従来のように襦袢に加工を施す必要はないので、取付けの下準備が煩わしくなく、また一般的な襦袢の全てにその半襟を取付けることができる。
【００１６】
また、請求項２に記載の半襟の製造方法によれば、請求項１に記載の発明の作用効果に加え、第二押さえ布側の第一押さえ布の端部を襟芯の幅方向略中央に配置したので、その第一押さえ布の端部において半襟を幅方向に半分に折ることで、半襟を襦袢の襟に取付けたときに半襟の折り目がはっきり出て、見栄えがよい。
【００１７】
また、請求項３に記載の半襟の製造方法によれば、請求項１又は２に記載の発明の作用効果に加え、第一折り返し部の長手方向中央に雄型スプリングホックの一つを取付けたので、襦袢の襟の中央部分にこの雄型スプリングホックを挿入するだけで、襦袢の襟に対する半襟の長手方向の位置決めが容易にできる。
【００１９】
なお、本発明の半襟の製造方法のように、雄型スプリングホックを第一折り返し部と第一押さえ布との間、及び第二折り返し部と第二押さえ布との間から縫い目に挿入し、雄型スプリングホックの先端を露出させて襦袢の襟に取付け可能にする点は、上述した特許文献１には全く記載されていない。
【図面の簡単な説明】
【００２０】
【図１】本発明の実施形態に係る半襟を示す平面図である。
【図２】本発明の実施形態に係る半襟を示す、図１のＡ−Ａ線拡大断面図である。
【図３】図１に示す半襟における雄型スプリングホックを示す拡大斜視図である。
【図４】図１に示す半襟における糸の縫い目に対し雄型スプリングホックを挿入した状態を示す拡大平面図である。
【図５】襦袢の襟に図１に示す半襟を取付けた状態を示す平面図である。
【図６】従来例に係る半襟を襦袢の襟に取付けた状態を示す平面図である。
【発明を実施するための形態】
【００２１】
図１乃至図５を参照して、本発明の実施形態に係る半襟２０及び半襟２０の取付け方法を説明する。
この半襟２０は、幅方向に略半分に折られ開口部Ｋ側を襦袢１の襟２に被せるように着脱可能に取付けられる半襟２０であって、襟芯２１と、化粧布２２と、第一押さえ布２３と、第二押さえ布２４と、複数の雄型スプリングホック２５と、を備える。
そして、特に半襟２０を襦袢１の襟２に取付ける際に雄型スプリングホック２５を用いることで、襦袢１の襟２には何ら加工を施さなくて済む点を特徴とするものである。
なお、従来例で示したものと同一部分には同一符号を付した。
【００２２】
襟芯２１は、図１に示すように緩やかに湾曲した略矩形状の布製の芯材であって、襟芯２１の幅Ｗ１は襦袢１の襟２の幅Ｗ２の略二倍である。
【００２３】
化粧布２２は、襟芯２１よりも幅広で襟芯２１の表側を覆い、半襟２０を襦袢１の襟２に取付けたときに外観面となる布である。
そして化粧布２２は、幅方向一方側から襟芯２１の裏側に折り返されてなる第一折り返し部２２ａと、幅方向他方側から襟芯２１の裏側に折り返されてなる第二折り返し部２２ｂとを有する。
なお、この幅方向一方側とは湾曲した襟芯２１のその曲率が大きい側（図１における上側）を、幅方向他方側とは曲率が小さい側（図１における下側）をそれぞれいう。
このように化粧布２２は湾曲した襟芯２１を覆うものであるので、覆ったときに襟芯２１の湾曲形状に沿う形状となっている。
また、化粧布２２の長手方向の長さは襟芯２１の長手方向の長さと略等しい。なお、半襟２０を襦袢１の襟２に取付けたときに化粧布２２（半襟２０）の長手方向両端部は外からは見えないので、その見えない部分の化粧布２２の長さは襟芯２１の長さより長くても短くてもよい。
ここで、襟芯２１の表側を覆う化粧布２２の部分を化粧布２２の本体部２２ｃ、本体部２２ｃと第一折り返し部２２ａとの境界を第一端部２２ｄ、本体部２２ｃと第二折り返し部２２ｂとの境界を第二端部２２ｅとそれぞれ呼ぶことにする。
【００２４】
第一押さえ布２３は、第一折り返し部２２ａの上（図２における右側）に重ねて縫いつけられる布である。襟芯２１と化粧布２２とを縫った後にそれに第一押さえ布２３を重ねて縫いつけるのではなく、本体部２２ｃ、襟芯２１、第一折り返し部２２ａ、第一押さえ布２３を一度にミシンで縫いつけている。
また、図１に示すように第二押さえ布２４側（第二端部２２ｅ側）の第一押さえ布２３の端部２３ａは襟芯２１の幅方向略中央に配置されている。そして、その反対側（第一端部２２ｄ側）の第一押さえ布２３の端部２３ｂは、第一端部２２ｄから離間している。
また、第一押さえ布２３の長手方向の長さは、半襟２０を襦袢１の襟２に取付けた際に、襟２の立っている部分（襦袢１の着用者の首の横から後ろに対応する部分）と同程度の長さであって、化粧布２２の長手方向の長さの略二割程度である。これは第一押さえ布２３を当該襟２部分の芯材とするためである。
【００２５】
第二押さえ布２４は、第二折り返し部２２ｂの上（図２における右側）に重ねて縫いつけられる布である。第一押さえ布２３と同様に、本体部２２ｃ、襟芯２１、第二折り返し部２２ｂ、第二押さえ布２４を一度に縫いつけている。
また、第一押さえ布２３側（第一端部２２ｄ側）の第二押さえ布２４の端部２４ａは、第一押さえ布２３から離間している。また、第二端部２２ｅ側の第二押さえ布２４の端部２４ｂは、第二端部２２ｅから離間している。
また、第二押さえ布２４の長手方向の長さは、第二折り返し部２２ｂ（化粧布２２）の長手方向の長さよりも長い。
【００２６】
雄型スプリングホック２５は、図３に示すように一本の針金を曲げ加工してなり、先端２５ａよりも後端２５ｂが幅広で、先端２５ａが後端２５ｂ側へ折り返されて側面視略Ｊ字状となっている。詳細には、全長のうち後端２５ｂ側の略１／３〜１／４が幅広になっており、残りの中央部及び先端２５ａ側の幅Ｗ３は後端２５ｂの幅Ｗ４に比べて幅狭で一定となっている。そして、その幅狭の部分の長さを二等分するように、雄型スプリングホック２５の先端２５ａが後端２５ｂ側へ折り返されている。
雄型スプリングホック２５の幅狭の部分の幅Ｗ３は、雄型スプリングホック２５を構成する針金の直径の三倍であり、第一押さえ布２３を第一折り返し部２２ａに縫いつけた糸の縫い目Ｎ及び第二押さえ布２４を折り返し部に縫いつけた糸の縫い目Ｎは、雄型スプリングホック２５の先端２５ａの幅Ｗ３（幅狭の部分の幅）より広くかつ雄型スプリングホック２５の後端２５ｂの幅Ｗ４より狭く設定されている。
なお、第一押さえ布２３を第一折り返し部２２ａに縫いつけた糸の縫い目Ｎと第二押さえ布２４を折り返し部に縫いつけた糸の縫い目Ｎは同じ幅である。
【００２７】
そして、図４に示すように、第一押さえ布２３を第一折り返し部２２ａに縫いつけた糸の縫い目Ｎに対し、第一折り返し部２２ａと第一押さえ布２３との間であって幅方向中央側から、雄型スプリングホック２５の先端２５ａを挿入するとともに雄型スプリングホック２５を反転させて第一押さえ布２３の表面に雄型スプリングホック２５の先端２５ａを露出させている。つまり、この露出状態では、雄型スプリングホック２５の先端２５ａは幅方向中央側に向いている。
このとき、雄型スプリングホック２５は図１に示すように、第一端部２２ｄより幅方向外側には出ない。
このように第一押さえ布２３（第一折り返し部２２ａ）に対して雄型スプリングホック２５は三つ取付けられ、そのうち一つは第一折り返し部２２ａの長手方向中央に取付けられている。
【００２８】
通常、雄型スプリングホック２５は雌型スプリングホックと一対でスカートやワンピースに取付けられるものであるが、幅広になった雄型スプリングホック２５の後端２５ｂ側がスカート等の生地に縫いつけられる。
一方、本実施形態においては、縫い目Ｎに雄型スプリングホック２５を挿入し、雄型スプリングホック２５が縫い目Ｎを軸として揺動しないように雄型スプリングホック２５の後端２５ｂ側を第一押さえ布２３で第一折り返し部２２ａに対して押さえているだけであり、雄型スプリングホック２５は第一押さえ布２３や第一折り返し部２２ａに対して縫いつけられていない。しかも雌型スプリングホックは使用しない。
【００２９】
同様に、第二押さえ布２４を第二折り返し部２２ｂに縫いつけた糸の縫い目Ｎに対し、第二折り返し部２２ｂと第二押さえ布２４との間であって幅方向中央側から、雄型スプリングホック２５の先端２５ａを挿入するとともに雄型スプリングホック２５を反転させて第二押さえ布２４の表面に雄型スプリングホック２５の先端２５ａを露出させている。
また、第二押さえ布２４（第二折り返し部２２ｂ）に取付けられた雄型スプリングホック２５は八つである。
【００３０】
次に、このように構成された半襟２０を襦袢１の襟２に取付ける方法を説明する。
まず、半襟２０を幅方向に、雄型スプリングホック２５の露出した先端２５ａ側を内方にして略半分に折る。
次に、半分に折られた半襟２０の開口部Ｋ側を襦袢１の襟２に被せる。
このとき、半襟２０の第一折り返し部２２ａが襦袢１の襟２の内側、第二折り返し部２２ｂが襦袢１の襟２の外側とになるようにする。
【００３１】
次に、襦袢１の襟２を襦袢１の身頃３に縫いつけてある既存の糸の縫い目に対し、全ての雄型スプリングホック２５の先端２５ａを身頃３側から襟２側へ挿入して、襦袢１の襟２に取付ける。
つまり、半襟２０の第一折り返し部２２ａ側の雄型スプリングホック２５は襦袢１の内側から取付け、半襟２０の第二折り返し部２２ｂ側の雄型スプリングホック２５は襦袢１の外側から取付ける。図５において、印を付けた位置に雄型スプリングホック２５があるが、実際には外側から雄型スプリングホック２５は見えない。
【００３２】
なお、通常の襦袢１の襟２を襦袢１の身頃３に縫いつけてある既存の糸の縫い目の幅は、雄型スプリングホック２５の先端２５ａの幅Ｗ３よりも広くなっている。
【００３３】
以上のように構成及び取付けられる半襟２０によれば、雄型スプリングホック２５を備え、第一押さえ布２３を第一折り返し部２２ａに縫いつけた糸の縫い目Ｎは、雄型スプリングホック２５の先端２５ａの幅Ｗ３より広いので、その縫い目Ｎに雄型スプリングホック２５の先端２５ａを挿入することができる。
よって、第一押さえ布２３を第一折り返し部２２ａに縫いつけた糸の縫い目Ｎに対し、第一折り返し部２２ａと第一押さえ布２３との間であって幅方向中央側から、雄型スプリングホック２５の先端２５ａを挿入するとともに雄型スプリングホック２５を反転させて第一押さえ布２３の表面に雄型スプリングホック２５の先端２５ａを露出させると、第一押さえ布２３で雄型スプリングホック２５の後端２５ｂ側が押さえられて安定する。このとき、雄型スプリングホック２５は先端２５ａが後端２５ｂ側へ折り返されて側面視略Ｊ字状であるので、雄型スプリングホック２５の先端２５ａが幅方向中央側を向く。
しかも、第一押さえ布２３を第一折り返し部２２ａに縫いつけた糸の縫い目Ｎは雄型スプリングホック２５の後端２５ｂの幅Ｗ４より狭いので、雄型スプリングホック２５を第一折り返し部２２ａや第一押さえ布２３に縫いつけなくても、雄型スプリングホック２５が抜け落ちてしまうことはない。
同様に、第二押さえ布２４で雄型スプリングホック２５の後端２５ｂ側が押さえられて安定するとともに、雄型スプリングホック２５を第二折り返し部２２ｂや第二押さえ布２４に縫いつけなくても、雄型スプリングホック２５が抜け落ちてしまうことはない。また、雄型スプリングホック２５の先端２５ａが幅方向中央側を向く。
【００３４】
このように、半襟２０の幅方向一方側及び他方側において雄型スプリングホック２５の先端２５ａが幅方向中央側を向いて露出しているので、幅方向に略半分に折ると、襦袢１の襟２を襦袢１の身頃３に縫いつけてある既存の糸の縫い目に対し、雄型スプリングホック２５の先端２５ａを身頃３側から襟２側へ挿入するだけで、半襟２０を襦袢１の襟２に容易かつ正確に取付け可能である。
このとき、半襟２０のみにこのような加工を施すだけで済み、従来のように襦袢１に加工を施す必要はないので、取付けの下準備が煩わしくなく、また一般的な襦袢１の全てにその半襟２０を取付けることができる。
【００３５】
また、第二押さえ布２４側の第一押さえ布２３の端部を襟芯２１の幅方向略中央に配置したので、その第一押さえ布２３の端部において半襟２０を幅方向に半分に折ることで、半襟２０を襦袢１の襟２に取付けたときに半襟２０の折り目がはっきり出て、見栄えがよい。
さらに、第一折り返し部２２ａの長手方向中央に雄型スプリングホック２５の一つを取付けたので、襦袢１の襟２の中央部分にこの雄型スプリングホック２５を挿入するだけで、襦袢１の襟２に対する半襟２０の長手方向の位置決めが容易にできる。
【００３６】
なお、本実施形態において、第二押さえ布２４側の第一押さえ布２３の端部を襟芯２１の幅方向略中央に配置したが、これに限られるものではない。
また、第一折り返し部２２ａの長手方向中央に雄型スプリングホック２５の一つを取付けたが、これに限られるものではなく、半襟２０の長手方向中央がわかれば他の目印でもよいし、目印がなくてもよい。
【００３７】
また、雄型スプリングホック２５は第一押さえ布２３や第一折り返し部２２ａに対して縫いつけられていないとしたが、これに限られるものではなく、縫いつけられていてもよい。
また、雄型スプリングホック２５に限られるものではなく、他のフック状のものであってもよい。つまり、本実施形態における雄型スプリングホック２５のように挿入するだけで取付けるフックであっても、縫いつけて取付けるフックであってもよい。
さらには、先端２５ａが幅方向中央側を向いて半襟２０の表面に露出し、襦袢１の既存の縫い目に対し挿入できるものであれば、他の形状であってもよい。
【００３８】
また、襟芯２１は緩やかに湾曲しているとしたが、これに限られるものではなく、矩形状であってもよい。
さらに、第一押さえ布２３の長手方向の長さは本実施形態のものに限られるものではなく、化粧布２２と同程度に長くてもよい。
【００３９】
また、雄型スプリングホック２５の個数や長手方向の位置は本実施形態のものに限られるものではない。
【００４０】
また、本体部２２ｃ、襟芯２１、第一折り返し部２２ａ、第一押さえ布２３を一度にミシンで縫いつけたが、襟芯２１と化粧布２２とを縫った後にそれに第一押さえ布２３を重ねて縫いつけてもよい。
同様に、襟芯２１と化粧布２２とを縫った後にそれに第二押さえ布２４を重ねて縫いつけてもよい。
【符号の説明】
【００４１】
１      襦袢
２      襟
３      身頃
１０      半襟
１１      面ファスナ
２０      半襟
２１      襟芯
２２      化粧布
２２ａ    第一折り返し部
２２ｂ    第二折り返し部
２２ｃ    本体部
２２ｄ    第一端部
２２ｅ    第二端部
２３      第一押さえ布
２３ａ    端部
２３ｂ    端部
２４      第二押さえ布
２４ａ    端部
２４ｂ    端部
２５      雄型スプリングホック
２５ａ    先端
２５ｂ    後端
Ｋ      開口部
Ｎ      縫い目
Ｗ１    襟芯の幅
Ｗ２    襦袢の襟の幅
Ｗ３    雄型スプリングホックの先端の幅
Ｗ４    雄型スプリングホックの後端の幅
【図１】
0005916326.tif 000002
【図２】
0005916326.tif 000003
【図３】
0005916326.tif 000004
【図４】
0005916326.tif 000005
【図５】
0005916326.tif 000006
【図６】
0005916326.tif 000007